(57)【特許請求の範囲】
【請求項１】
天板に開口が設けられており、前記開口内にこんろバーナが露出した状態で設置されているとともに、環板状の五徳リングと、該五徳リングの上面に設けられた複数の五徳爪とを備えた金属製の五徳が前記こんろバーナを囲むように前記天板上に設置されてなるこんろであって、
前記五徳リングの内周縁が前記開口縁よりも開口内側へ突出し、前記開口縁よりも前記こんろバーナに近接しているとともに、前記五徳リングの内周縁部が外側へ向かって下降傾斜するテーパ面として形成されている一方、
前記天板の前記開口の外周側となる位置で、且つ、前記五徳を設置した際に前記五徳リングにより覆われる位置に、上方へ突出する凸条部が前記開口を囲むように周設されていることを特徴とするこんろ。
【請求項２】
前記天板の前記開口縁に、開口内側へ向かって上昇傾斜するテーパ部が設けられていることを特徴とする請求項１に記載のこんろ。
【発明の詳細な説明】
【技術分野】
【０００１】
本発明は、調理鍋等を載置するための五徳が天板上に設置されてなるこんろに関するものである。
【背景技術】
【０００２】
従来一般的なこんろの一例であるテーブルこんろとしては、天板に開口を開設して、当該開口からガスバーナを露出させるとともに、ガスバーナを囲むように五徳を天板上へ設置してなるものがある。該テーブルこんろには、五徳上に載置される調理鍋等から出る煮汁を受けるための受け皿が設置されたものも多くあるが、近年、清掃性を高めるためべく、受け皿を備えないテーブルこんろも考案されている。そして、そのような受け皿のないタイプのテーブルこんろでは、たとえば特許文献１に記載されているように、耐熱ガラス製の天板の開口縁に沿ってカバー部材を別途装着し、カバー部材の内周縁をガスバーナの外周面に密着させることによって、煮汁の器具本体内への浸入防止を図っていた。
【先行技術文献】
【特許文献】
【０００３】
【特許文献１】特開平１０−３１８５４５号公報
【発明の概要】
【発明が解決しようとする課題】
【０００４】
しかしながら、上述したようにカバー部材を装着する構成によれば、カバー部材をガスバーナの外周面に密着させる必要があることから、天板の開口及びカバー部材に高い寸法精度が求められ、歩留まりが低くなり、コスト高を招く要因となるという問題がある。また、カバー部材をガスバーナの外周面に密着させたことにより、ガスバーナを点火させた際に、カバー部材を介して天板へ熱が伝わりやすく、天板の開口周辺に歪み等が生じやすい。しかしながら、開口は上述したように精度が求められている箇所であり、開口周辺部に歪み等が生じると、開口とガスバーナとが干渉して天板が破損したり、五徳が載置できなくなるという問題が生じる。そこで、熱による歪み等を防止すべく、天板を比較的高価な耐熱ガラス製とする必要があり、更なるコスト高を招いていた。
【０００５】
そこで、本発明は、上記問題に鑑みなされたものであって、容易に製造可能で歩留まりの向上を期待することができる上、比較的安価な素材を用いて製造可能なこんろを提供しようとするものである。
【課題を解決するための手段】
【０００６】
上記目的を達成するために、本発明のうち請求項１に記載の発明は、天板に開口が設けられており、開口内にこんろバーナが露出した状態で設置されているとともに、環板状の五徳リングと、該五徳リングの上面に設けられた複数の五徳爪とを備えた金属製の五徳がこんろバーナを囲むように天板上に設置されてなるこんろであって、五徳リングの内周縁が開口縁よりも開口内側へ突出し、開口縁よりもこんろバーナに近接しているとともに、五徳リングの内周縁部が外側へ向かって下降傾斜するテーパ面として形成されている一方、天板の開口の外周側となる位置で、且つ、五徳を設置した際に五徳リングにより覆われる位置に、上方へ突出する凸条部が開口を囲むように周設されていることを特徴とする。
請求項２に記載の発明は、請求項１に記載の発明において、天板の開口縁に、開口内側へ向かって上昇傾斜するテーパ部が設けられていることを特徴とする。
【発明の効果】
【０００７】
本発明によれば、天板上に設置された五徳の五徳リングの内周縁が天板の開口縁よりも開口内側へ突出し、開口縁よりもこんろバーナに近接させているため、該五徳リングの内周縁によって調理鍋等から溢れた煮汁の器体内への浸入防止を図ることができる。したがって、従来と比べて、天板の開口をこんろバーナに近接させる必要がないため、開口を形成する際に精度を求められず、容易に製造することができ、歩留まりを向上することができる。また、従来ほど開口をガスバーナに近接させないため、こんろバーナ点火時に熱の影響を受けにくく、天板の開口周辺部に歪み等が生じにくい。その上、たとえ歪み等が生じたとしても隙間があそびとなり、ガスバーナと天板とが干渉したり、五徳が載置できなくなるといった問題が生じないため、天板を耐熱ガラス等により成形する必要がなく、コスト低減を図ることができる。さらに、五徳に関しても、五徳リングの内周縁をこんろバーナの外周面に近接させるものの、従来の如くこんろバーナの外周面に密接させるわけではないため、従来ほど成形精度を要求されない。
また、五徳リングの内周縁部に、外側へ向けて下降傾斜するテーパ面を形成しているため、調理鍋の底等をつたってきた煮汁が五徳リングの内周縁部に滴下したとしても、その煮汁をテーパ面により外側へ導くことができる。したがって、煮汁が開口等を介して器体内へ浸入する事態を一層効果的に防止することができる。
さらに、天板の開口の外周側となる位置で、且つ、五徳を設置した際に五徳リングにより覆われる位置に、上方へ突出する凸条部を周設しているため、煮汁が五徳リングの外周縁を回り込んで五徳リングと天板との隙間へ浸入したとしても、凸条部により器体内への浸入を防止することができる。したがって、煮汁の器体内への浸入防止効果を極めて向上することができる。
加えて、請求項２に記載の発明によれば、開口縁に開口内側へ向かって上昇傾斜するテーパ部を設けているため、煮汁が五徳リングの外周縁を回り込んで五徳リングと天板との隙間へ浸入したとしても、テーパ部により器体内への浸入を防止することができる。したがって、煮汁の器体内への浸入防止効果を極めて向上することができる。
【図面の簡単な説明】
【０００８】
【図１】テーブルこんろを上方から示した説明図である。
【図２】五徳を取り外したテーブルこんろの開口周辺を拡大して示した説明図である。
【図３】テーブルこんろの器体を省略した斜視説明図である。
【図４】五徳を取り外したテーブルこんろの開口周辺を拡大して示した斜視説明図である。
【図５】テーブルこんろの五徳及び開口周辺部の断面を示した説明図である。
【発明を実施するための形態】
【０００９】
以下、本発明の一実施形態となるテーブルこんろについて、図面にもとづき詳細に説明する。
【００１０】
図１は、テーブルこんろ１を上方から示した説明図であり、図２は、五徳２を取り外したテーブルこんろ１の開口４周辺を拡大して示した説明図である。図３は、テーブルこんろ１の器体を省略した斜視説明図であり、図４は、五徳２を取り外したテーブルこんろ１の開口４周辺を拡大して示した斜視説明図である。図５は、テーブルこんろ１の五徳２及び開口４周辺部の断面を示した説明図である。
【００１１】
テーブルこんろ１は、器体の天板３に一対の円形の開口４、４を形成し、各開口４の中央に夫々ガスバーナ５を露出した状態で配置するとともに、天板３上にそのガスバーナ５を囲むように金属製の五徳２を備えてなる。ガスバーナ５は、燃料ガスと一次空気とを吸入するスロート部が接続されて燃料ガスと一次空気とを混合する所謂混合気室を備えたバーナ本体（図示せず）と、そのバーナ本体の混合気室上にセットされ、外周に多数の炎孔６、６・・が形成されたバーナヘッド７とからなる。また、バーナヘッド７の炎孔６の近傍には、点火用の電極８と火炎検出用の熱電対９とが設けられている。さらに、１０は、五徳２上に載置される調理鍋等の温度を検知するためのセンサであって、バーナヘッド７の中央を貫通するように設置されている。
【００１２】
そして、上記テーブルこんろ１によれば、器体前面に設けられた図示しない操作レバーを操作すると、バーナ本体へ一次空気と共に燃料ガスが供給され、混合気となってバーナヘッド７の炎孔６、６・・から流出する。同時に、器体内に設けられた図示しないコントローラが電極８をスパークさせて混合気に点火し、バーナヘッド７の周囲に火炎を形成させる。よって、五徳２上に載置される調理鍋等の底を加熱して調理可能となる。
【００１３】
ここで、本発明の要部となる五徳２及び開口４の周辺部について詳述する。尚、五徳２及び開口４は天板３の左右に１組ずつ備えられるが、どちらも同じ構成となっている。
開口４は、その直径が略８０ｍｍの略円孔であって、天板３を器体に組み付けた際、開口４縁とバーナヘッド７を支持する支持部材（バーナ本体の一部）５１の外周面との間には略３ｍｍ程度の隙間が生じるように形成されている。また、開口４縁には、開口４内側へ向けて上昇傾斜するように折り曲げられたテーパ部１１が設けられている。さらに、開口４縁から所定の距離だけ径方向外側へ離れた位置には、上方へ突出する凸条部１２が開口４を囲むように周設されている。さらに、開口４縁と凸条部１２との間には、後述する五徳リング２１を取り付けるための凹部と凸部とからなる複数の位置決め部１３、１３・・が設けられているとともに、各位置決め部１３の近傍に、天板３をバーナ本体に連結される金具５２にネジ止めするためのネジ孔１４が穿設されている。
【００１４】
一方、五徳２は、天板３の開口４縁を覆う五徳リング２１と、該五徳リング２１上に立設され、調理鍋等を載置可能な倒Ｕ字状の６つの五徳爪２２、２２・・とからなる。五徳リング２１は円環板状の部材であって、径方向での幅は天板３の開口４縁から凸条部１２までよりも長く形成されており、内周縁での直径は略７０ｍｍ、外周縁での直径は略１３０ｍｍとされている。したがって、五徳２を天板３上へ設置した際、五徳リング２１の外周縁側は凸条部１２の上方を覆う一方、その内周縁側は開口４縁よりも開口４内側へ突出し、支持部材５１の外周面との間に１ｍｍ以内の隙間しか生じないようになっている。また、五徳リング２１の内周縁部は、径方向外側へ向けて下降傾斜するテーパ面２３として折り曲げ成形されている。さらに、五徳リング２１の下面には、位置決め部１３の凹部に係止可能な係止爪２４ａと、位置決め部１３の凸部上に載置される突起２４ｂとを一体的に備えた複数の設置部が設けられている。
【００１５】
以上のような五徳２及び開口４を有する天板３を備えたテーブルこんろ１によれば、五徳２を設置した際に、五徳リング２１の内周縁が天板３の開口４縁よりも開口４内側へ突出し、五徳リング２１の内周縁とガスバーナ５との間に１ｍｍ以内の隙間しか生じないように構成しているため、該五徳リング２１の内周縁によって調理鍋等から溢れた煮汁の器体内への浸入防止を図ることができる。したがって、従来と比べて、天板３の開口４をガスバーナ５に近接させる必要がないため、開口４を形成する際に精度を求められず、容易に製造することができ、歩留まりを向上することができる。また、従来ほど開口４をガスバーナ５に近接させないため、ガスバーナ５点火時に熱の影響を受けにくく、天板３の開口４周辺部に歪み等が生じにくい。その上、たとえ歪み等が生じたとしても隙間があそびとなり、ガスバーナ５と天板３とが干渉したり、五徳２が載置できなくなるといった問題が生じないため、天板２を耐熱ガラス等により成形する必要がなく、コスト低減を図ることができる。
さらに、五徳２に関しても、五徳リング２１の内周縁をガスバーナ５の外周面に近接させるものの、従来の如くガスバーナ５の外周面に密接させるわけではないため、従来ほど成形精度を要求されない。加えて、五徳リング２１の内周縁をガスバーナ５に近接させているとは言え、五徳２と天板３とは係止爪２４ａと突起２４ｂとでしか接触していないため、熱が天板３に伝わりにくく、天板３の熱変形等を一層防止することができる。
【００１６】
また、五徳リング２１の内周縁部に、径方向外側へ向けて下降傾斜するテーパ面２３を形成しているため、調理鍋の底等をつたってきた煮汁が五徳リング２１の内周縁部に滴下したとしても、その煮汁はテーパ面２３により径方向外側へ流れる。したがって、煮汁の器体内への浸入を一層効果的に防止することができる。
さらに、開口４の径方向外側となる位置に凸条部１２を周設するとともに、開口４縁に開口４内側へ向けて上昇傾斜するテーパ部１１を設けているため、煮汁が五徳リング２１の外周縁を回り込んで五徳リング２１と天板３との隙間へ浸入したとしても、凸条部１２及びテーパ部１１により器体内への浸入を防止することができる。したがって、煮汁の器体内への浸入防止効果を極めて向上することができる。
【００１７】
なお、本発明のこんろに係る構成は、上記実施形態の態様に何ら限定されるものではなく、こんろ全体の構成や五徳、天板に係る構成等を、本発明の趣旨を逸脱しない範囲で必要に応じて適宜変更することができる。
【００１８】
たとえば、上記実施形態では、五徳リング２１の内周縁部のみテーパ面としているが、五徳リング２１の内周縁から外周縁にかけて全体的に下降傾斜するテーパ面として形成することも可能である。
また、上記実施形態では、天板の開口縁にテーパ部を形成したり、開口の径方向外側となる位置に凸条部を設けたりしているが、このテーパ部や凸条部に関しては必ずしも設ける必要はない。
【００１９】
さらに、五徳の天板への設置に係る構成についても、上記実施形態では、天板に凹部及び凸部からなる位置決め部を、五徳に係止部を夫々設ける構成を採用しているが、他の構成を採用してもよく、たとえば天板に係止孔を、五徳に係止孔に係止可能な係止爪を夫々設ける構成等が考えられる。
加えて、上記実施形態ではこんろの一例であるテーブルこんろについて説明しているが、キッチンユニットに組み込まれるビルトインこんろ等の他のこんろに適用することも可能である。
【符号の説明】
【００２０】
１・・テーブルこんろ、２・・五徳、３・・天板、４・・開口、５・・ガスバーナ、１１・・テーパ部、１２・・凸条部、１３・・位置決め部、１４・・ネジ孔、２１・・五徳リング、２２・・五徳爪、２３・・テーパ面。
【図１】
0005265628.tif 000002
【図２】
0005265628.tif 000003
【図３】
0005265628.tif 000004
【図４】
0005265628.tif 000005
【図５】
0005265628.tif 000006